(57)【特許請求の範囲】
【請求項１】
液取入管、液送出管、オーバーフロー管、液側路管および気管が接続された熱交換部設けた室外機を複数の室内機よりも上方に配置して、前記熱交換部により熱操作して相変化させた流体（以下、熱操作流体という）を前記室内機に循環供給するとともに、各前記室内機により前記熱操作流体の潜熱を利用して冷暖房を行うようにした空調装置であって、
前記液送出管に、冷房用レシーバタンクと、冷房用補助ポンプとを前記熱交換部の側から順次に直列に配置するとともに、前記熱操作流体の液体（以下、熱操作液体という）を前記冷房用レシーバタンクに貯留する熱操作液体貯留手段と、
前記液送出管の前記冷房用レシーバタンク１４の上流側と、前記熱交換部における熱操作流体の部分（以下、熱交換流体部分という）との間に前記オーバーフロー管を接続することにより、前記熱交換流体部分における余剰の前記熱操作液体を溢出させて前記冷房用レシーバタンクに貯留する余剰液貯留手段と、
前記液送出管の前記冷房用補助ポンプの下流側と、前記熱交換流体部分との間に、前記液側路管を接続することにより、前記冷房用レシーバタンクに貯留された前記熱操作液体を前記冷房用補助ポンプによって前記熱交換流体部分に入れ込む熱操作液体補充手段と、
前記オーバーフロー管を接続した前記熱交換流体部分の部位（以下、オーバーフロー部位という）よりも低い前記熱交換流体部分の部位に前記液取入管と前記液送出管２１とを接続し、前記オーバーフロー部位よりも高い前記熱交換流体部分の部位（以下、高部位という）に前記液側路管２４を接続し、前記高部位よりも高い前記熱交換流体部分の部位に前記気管２５を接続する各管接続手段と
を具備することを特徴とする空調装置。
【請求項２】
前記液送出管２１に前記オーバーフロー管を接続した部分よりも上流側の前記液送出管の部分に第１の冷暖切替弁を設けるとともに、前記液送出管に前記液側路管を接続した部分よりも下流側の前記液送出管の部分に第２の冷暖切替弁を設ける切替弁配置手段と、
前記液送出管の最も低い部分と、前記液取入管の最も低い部分との間に、暖房用レシーバタンクと、暖房用ポンプと、前記熱交換部１２の方向のみに前記熱操作流体の流動を可能にする弁とを前記液送出管２１の側から順次に直列に配置する暖房用部分配置手段と、
前記気管の最も低い部分と、前記暖房用レシーバタンクの上流側の前記液送出管の部分との間に、開閉弁を設けた第２の液側路管を接続する液側路手段と
を付加したことを特徴とする請求項１記載の空調装置。
【請求項３】
前記第１の冷暖切替弁と前記第２の冷暖切替弁とを閉弁するとともに前記開閉弁を開弁した状態で、前記暖房用ポンプを起動し、前記熱交換流体部分に回収される前記熱操作液体が所定量になったことを検出したときに、前記熱交換部の加熱を開始する暖房運転手段
を付加したことを特徴とする請求項２記載の空調装置。
【発明の詳細な説明】
【０００１】
【発明の属する技術分野】
本発明は空調技術に関するものであり、特に詳しくは室外機と、全数もしくは過半数が室外機より下方に設置された複数の室内機との間で、相変化可能な流体を循環させ、各室内機において冷暖房可能に構成した空調技術に関する。
【０００２】
【従来の技術】
この種の技術として、建物の屋上などに室外機として設置した吸収式冷凍機で発生させる冷熱または温熱によって相変化した流体が、冷暖房何れの運転においても各階に分散して配置した室内機に自然に循環供給されるように構成したビルの空調システムが、例えば特開平７−３１８１８９号公報に提案されている。
【０００３】
【発明が解決しようとする課題】
しかし、上記構成の空調システムにおける暖房運転では、外気温度が低いために配管内や室内機内で凝縮して溜る流体の量が多く、見掛け上充填不足となり、暖房用ポンプが液不足で停止する。このため、室外機における加熱作用も停止し、循環に必要な圧力差も失われてシステム全体が停止すると云った問題点があり、この点の解決が課題となっていた。
【０００４】
【課題を解決するための手段】
本発明は、上記のような
液取入管、液送出管、オーバーフロー管、液側路管および気管が接続された熱交換部設けた室外機を複数の室内機よりも上方に配置して、上記の熱交換部により熱操作して相変化させた流体（以下、熱操作流体という）を上記の室内機に循環供給するとともに、各上記の室内機により上記の熱操作流体の潜熱を利用して冷暖房を行うようにした空調装置において、
上記の液送出管に、冷房用レシーバタンクと、冷房用補助ポンプとを上記の熱交換部の側から順次に直列に配置するとともに、上記の熱操作流体の液体（以下、熱操作液体という）を上記の冷房用レシーバタンクに貯留する熱操作液体貯留手段と、
上記の液送出管の上記の冷房用レシーバタンク１４の上流側と、上記の熱交換部における熱操作流体の部分（以下、熱交換流体部分という）との間に上記のオーバーフロー管を接続することにより、上記の熱交換流体部分における余剰の上記の熱操作液体を溢出させて上記の冷房用レシーバタンクに貯留する余剰液貯留手段と、
上記の液送出管の上記の冷房用補助ポンプの下流側と、上記の熱交換流体部分との間に、上記の液側路管を接続することにより、上記の冷房用レシーバタンクに貯留された上記の熱操作液体を上記の冷房用補助ポンプによって上記の熱交換流体部分に入れ込む熱操作液体補充手段と、
上記のオーバーフロー管を接続した上記の熱交換流体部分の部位（以下、オーバーフロー部位という）よりも低い上記の熱交換流体部分の部位に上記の液取入管と上記の液送出管２１とを接続し、上記のオーバーフロー部位よりも高い上記の熱交換流体部分の部位（以下、高部位という）に上記の液側路管２４を接続し、上記の高部位よりも高い上記の熱交換流体部分の部位に上記の気管２５を接続する各管接続手段と
を設ける第１の構成と、
【０００５】
上記の第１の構成に加えて、
上記の液送出管２１に上記のオーバーフロー管を接続した部分よりも上流側の上記の液送出管の部分に第１の冷暖切替弁を設けるとともに、上記の液送出管に上記の液側路管を接続した部分よりも下流側の上記の液送出管の部分に第２の冷暖切替弁を設ける切替弁配置手段と、
上記の液送出管の最も低い部分と、上記の液取入管の最も低い部分との間に、暖房用レシーバタンクと、暖房用ポンプと、上記の熱交換部１２の方向のみに上記の熱操作流体の流動を可能にする弁とを上記の液送出管２１の側から順次に直列に配置する暖房用部分配置手段と、
上記の気管の最も低い部分と、上記の暖房用レシーバタンクの上流側の上記の液送出管の部分との間に、開閉弁を設けた第２の液側路管を接続する液側路手段と
を設ける第２の構成と、
【０００６】
上記の第２の構成に加えて、
上記の第１の冷暖切替弁と上記の第２の冷暖切替弁とを閉弁するとともに上記の開閉弁を開弁した状態で、上記の暖房用ポンプを起動し、上記の熱交換流体部分に回収される上記の熱操作液体が所定量になったことを検出したときに、上記の熱交換部の加熱を開始する暖房運転手段
を設ける第３の構成とにより、上記の課題を解決したものである。
【０００７】
【発明の実施の形態】
以下、本発明の一実施形態を図１に基づいて説明する。本発明の空調装置は、例えばビルの屋上などに設置される室外機１０と、各階に分散して設置される多数の室内機３０と、地下室などの最も低い部分に設置される暖房用ポンプユニット４０と、これらを接続して相変化が可能な流体、例えばＲ−１３４ａを循環させるための配管群とから構成される。
【０００８】
室外機１０は、ガスバーナなどで生成する熱を利用して運転し、これにより冷熱と温熱との選択的供給が可能な吸収冷凍機１１を備え、外部に対して熱源発生部として機能する図示しない蒸発器の伝熱管１２ａを備えた熱交換部１２の最も低い部分、具体的には水平に並設された複数の伝熱管１２ａの両端に設置されて伝熱管１２ａ同士を連通させている空間１２ｂ、１２ｃそれぞれの最も低い部分に液送出管２１と液取入管２２とが接続され、液送出管２１の途中には冷暖切替弁１３と、主に冷房運転時に使用されるレシーバタンク１４と、冷房用補助ポンプ１５と、冷暖切替弁１６とが吸収冷凍機１１側から直列に介在配置されている。
【０００９】
なお、吸収冷凍機の蒸発器内部に設けた伝熱管１２ａの管壁を介してその内部を流れている流体に冷熱を供給したり、温熱を供給することができるものとしては、例えば特開平７−３１８１８９号公報などに開示されたものが使用できる。また、冷房運転時には外気温度が高いために途中の配管などに滞留するＲ−１３４ａは蒸発して気体になる。一方、暖房運転時は外気温度が低いために配管などに滞留するＲ−１３４ａは凝縮して液体となる。このため、暖房運転時には冷房運転時より多くのＲ−１３４ａが必要となるので、暖房運転時に過不足をきたさないように封入したＲ−１３４ａが冷房運転時に過剰とならいように、レシーバタンク１４の容積を決定する。
【００１０】
そして、オーバーフロー管２３が空間１２ｃの中間部分、すなわち液送出管２１、液取入管２２の接続部分より高い部位に接続され、その他端が液送出管２１の冷暖切替弁１３とレシーバタンク１４との間に接続され、オーバーフロー管２３の接続部より高い部位の空間１２ｃに液側路管２４の一端が接続され、この液側路管２４の他端は液送出管２１の冷房用補助ポンプ１５と冷暖切替弁１６との間に接続されている。
【００１１】
さらに、空間１２ｃの最上部には気管２５が接続され、この気管２５とレシーバタンク１４の上部とは均圧管２６によって連結されている。
【００１２】
また、室外機１０には熱交換部１２の空間１２ｂ内に溜っている液体のＲ−１３４ａの液面レベルを検出するための液面センサ１８と、レシーバタンク１４内に溜っている液体のＲ−１３４ａの液面レベルを検出するための液面センサ１９と、これらの液面センサなどの出力に基づいて冷暖切替弁１３・１６の開閉を制御したり、冷房用補助ポンプ１５や、後述する暖房用ポンプ４２の運転などを制御するための制御装置２０も設けられている。
【００１３】
各室内機３０は、それぞれに熱交換器３１と膨張弁３２と送風機３３とを有し、各熱交換器３１の一端は気管２５の縦管２５ａから分岐して水平方向に延設された横引き管２５ｂに接続され、他端は液送出管２１の縦管２１ａから分岐して水平方向に延設された横引き管２１ｂに膨張弁３２を介して連結されている。
【００１４】
液送出管２１の縦管２１ａの終端、すなわち最も低い部分に液取入管２２の始端が接続され、液取入管２２の始端側にＵ字状部が設けられ、そこに暖房用ポンプユニット４０を構成しているレシーバタンク４１・暖房用ポンプ４２・逆止弁４３が図示したように直列に介在設置されている。そして、レシーバタンク４１には、その内部に溜った液体のＲ−１３４ａの液面レベルを検出するための液面センサ４４が設けられている。
【００１５】
また、液取入管２２のレシーバタンク４１上流側と、気管２５の最低部分との間が開閉弁２７を備えた液側路管２８によって接続されている。
【００１６】
また、制御装置２０は、図示しないパネル面に設けたボタンスイッチなどによって冷暖房運転の指示が行えるようにも構成されていて、例えば冷房運転が指示されると、先ず冷暖切替弁１３・１６を開弁させるための所要の制御信号を出力すると共に、開閉弁２７を閉弁させるための所要の制御信号を出力する。
【００１７】
さらに、吸収冷凍機１１には再生器で加熱して蒸発した冷媒が凝縮器に送られて放熱凝縮し、この凝縮した冷媒液が蒸発器に送られて蒸発するための所要の弁制御などの指示がなされるようにも構成されていて、吸収冷凍機１１の蒸発器で蒸発する冷媒の気化熱によって気体のＲ−１３４ａは熱交換部１２の伝熱管１２ａの管壁を介して冷却されて凝縮し、所定の低温度、例えば７℃の液体となって液送出管２１に吐出し、レシーバタンク１４に流れ込み溜る。
【００１８】
また、制御装置２０は、レシーバタンク１４に溜っているＲ−１３４ａの液面が液面センサ１９によって、予め設定した所定のレベル以上（満杯に近い状態）になったことが確認されると、冷房用補助ポンプ１５を起動させるための制御信号を出力するようにも構成されている。
【００１９】
冷房用補助ポンプ１５が起動すると、室外機１０のレシーバタンク１４に溜っている液体のＲ−１３４ａは液送出管２１の縦管２１ａ・横引き管２１ｂを介して、各階に分散設置した室内機３０に供給される。
【００２０】
室内機３０に供給された温度の低い液体のＲ−１３４ａは、膨張弁３２を介して熱交換器３１に流入し、送風機３３によって供給される温度の高い室内空気からその熱交換器３１の管壁を介して熱を奪い、蒸発して冷房作用を行う。この冷房作用によって蒸発した気体のＲ−１３４ａは、Ｒ−１３４ａが凝縮して圧力が低くなっている室外機１０の吸収冷凍機１１の熱交換部１２に気管２５を介して戻る循環が行われる。
【００２１】
冷房用補助ポンプ１５によって送り出された液体のＲ−１３４ａの一部は、暖房ポンプユニット４０を有する液取入管２２を経由して熱交換部１２に戻される。このため、外気による加熱によって液管内で気泡が発生しても、発生した気泡はこの循環路を経て速やかに排出されるので、気泡による搬送障害は起こり難く、したがって各階に分散設置した室内機３０への液体のＲ−１３４ａの安定供給が可能となり、安定した冷房運転が継続できる。
【００２２】
一方、制御装置２０を操作して暖房運転を指示すると、制御装置２０は先ず冷暖切替弁１３・１６を閉弁し、開閉弁２７を開弁させるための制御信号を出力すると共に、暖房用ポンプ４２を起動させるための制御信号を出力する。
【００２３】
この操作により、温度の低い気管２５の内部で凝縮し最下層部分に溜っていた液体のＲ−１３４ａは液測路管２８を介してレシーバタンク４１に流れ込み、暖房用ポンプ４２によって吸収冷凍機１１の熱交換部１２に回収される。熱交換部１２に回収される量が多くなると、液体のＲ−１３４ａはオーバーフロー管２３を介してレシーバタンク１４に流れ込み溜められる。
【００２４】
また、液面センサ１８が検出する熱交換部１２内のＲ−１３４ａの液面が、予め設定した所定の高レベルに達すると、制御装置２０から吸収冷凍機１１に所要の制御信号が出力され、吸収冷凍機１１が運転を開始してその再生器で加熱されて蒸発した冷媒と吸収液とが、熱交換部１２が設置されている蒸発器に直接送られるようになっている。
【００２５】
したがって、室外機１０においては吸収冷凍機１１の再生器から蒸発器に流入する高温の冷媒蒸気や吸収液によって、液体のＲ−１３４ａは熱交換部１２の伝熱管１２ａの管壁を介して加熱されて蒸発し、所定の高温度、例えば５５℃の気体となって気管２５に吐出し、室内機３０に供給される。
【００２６】
なお、制御装置２０は、液面センサ４４によってレシーバタンク４１に溜っている液体のＲ−１３４ａの液面が所定の低レベルを検知したときに開閉弁２７を閉弁するようにも構成されている。
【００２７】
したがって、気管２５に凝縮して滞留していた液体のＲ−１３４ａは、開閉弁２７が閉弁した時点でその最下層部分まで排出されているため、Ｒ−１３４ａの凝縮滞留液に邪魔されて最下層の室内機３０に熱交換部１２で加熱して蒸発したＲ−１３４ａの蒸気が流入せず、暖房不良に陥ると云ったことがない。
【００２８】
また、熱交換部１２内に溜ったＲ−１３４ａの液面が液面センサ１８によって所定の高レベルに達したことが確認され、吸収冷凍機１１による加熱を開始する際に、暖房用ポンプ４２の運転を一旦停止し、吸収冷凍機１１による加熱によって熱交換部１２内の液体のＲ−１３４ａが蒸発し、その液面レベルが液面センサ１８によって所定の低レベル以下になったことが確認されるか、熱交換部１２内のＲ−１３４ａの温度か圧力が所定値に達した後、暖房用ポンプ４２の運転を再開するように制御装置２０の制御を構成することもできる。このような制御を行えば、室内機３０ではより速やかな温風取り出しが可能になる。
【００２９】
各室内機３０においては、送風機３３によって供給される温度の低い室内空気に気体のＲ−１３４ａが熱交換器３１の管壁を介して放熱して凝縮液化し、この凝縮時に暖房作用を行ない、さらに、凝縮した液体のＲ−１３４ａが膨張弁３２を通ってレシーバタンク４１に流れ込み、暖房用ポンプ４２によって室外機１０に還流すると云ったＲ−１３４ａの循環が起こって、暖房運転が継続される。
【００３０】
また、制御装置２０は上記の暖房運転中に液面センサ４４が検出するレシーバタンク４１に溜ったＲ−１３４ａの液面が、予め設定した所定のレベルより低くなると、暖房用ポンプ４２保護のために所要の制御信号を出力して暖房用ポンプ４２の運転を停止させると共に、冷房用補助ポンプ１５を起動させてレシーバタンク１４に溜っている液体のＲ−１３４ａを液側路管２４を介して吸収冷凍機１１の熱交換部１２に補給するように構成されている。
【００３１】
したがって、暖房運転の起動時は室内機３０で凝縮したＲ−１３４ａの戻りが遅く、レシーバタンク４１に溜る液体のＲ−１３４ａの量が不足して暖房用ポンプ４２の運転が停止され、液不足のために室外機１０におけるＲ−１３４ａの加熱が停止されて熱交換部１２内の圧力が低下し、室内機３０で凝縮した液体のＲ−１３４ａをレシーバタンク４１に押しやる推進力が消滅し、見掛け上Ｒ−１３４ａの充填不足を来して暖房運転が起動しない事態を招き易かったが、制御装置２０による前記運転操作によって、熱交換部１２内で液体のＲ−１３４ａが不足することがなくなるので、室外機１０におけるＲ−１３４ａの加熱が停止されることがないし、Ｒ−１３４ａが過熱されることもない。
【００３２】
また、熱交換部１２内に液冷媒が少なくなって伝熱のための冷媒液接触面積が不足するため、吸収冷凍機１１の加熱能力に余力があるにも拘らず、室内機３０が必要とする熱量に相当する気体のＲ−１３４ａを発生させることができなくて、必要な暖房が行えないと云った不都合も回避される。
【００３３】
なお、暖房用ポンプ４２の運転再開操作と、冷房用補助ポンプ１５の停止操作とは、液面センサ４４が検出するＲ−１３４ａの液面が前記暖房用ポンプ４２の停止レベルより高い所定のレベルに達したときに、制御装置２０からそれぞれ所要の制御信号を出力して行なわれる。
【００３４】
また、液取入管２２を介して熱交換部１２に流入する液体のＲ−１３４ａの量が多くなると、余剰となった液体のＲ−１３４ａはオーバーフロー管２３を介してレシーバタンク１４に入り込むので、熱交換部１２から気管２５に冷媒液が混入流入して冷媒蒸気Ｒ−１３４ａの循環を阻害すると云ったことも回避される。
【００３５】
なお、暖房運転を開始する際の吸収冷凍機１１における加熱開始時点を、液面センサ１９が検出するレシーバタンク１４内のＲ−１３４ａの液面が予め設定した所定の高レベルに達した時とするように構成することもできる。
【００３６】
また、室外機１０と室内機３０との間で循環させる相変化可能な流体としては、Ｒ−１４３ａの他にも、Ｒ−４０７ｃ、Ｒ−４０４Ａ、Ｒ−４１０ｃなどであっても良い。
ここで、以上の構成を要約すると、概括的には、第１には、
液取入管２２、液送出管２１、オーバーフロー管２３、液側路管２４および気管２５が接続された熱交換部１２を設けた室外機１０を複数の室内機３０よりも上方に配置して、上記の熱交換部１２により熱操作して相変化させた流体、例えば、Ｒ−１３４ａ（以下、熱操作流体という）を上記の室内機３０に循環供給するとともに、各上記の室内機３０により上記の熱操作流体の潜熱を利用して冷暖房を行うようにした空調装置において、
上記の液送出管２１に、冷房用レシーバタンク１４と、冷房用補助ポンプ１５とを上記の熱交換部１２の側から順次に直列に配置するとともに、上記の熱操作流体の液体（以下、熱操作液体という）を上記の冷房用レシーバタンク１４に貯留する熱操作液体貯留手段と、
上記の液送出管２１の上記の冷房用レシーバタンク１４の上流側と、上記の熱交換部１２における熱操作流体、例えば、Ｒ−１３４ａの部分（以下、熱交換流体部分という）との間に上記のオーバーフロー管２３を接続することにより、上記の熱交換流体部分における余剰の上記の熱操作液体、例えば、液体のＲ−１３４ａを溢出させて上記の冷房用レシーバタンク１４に貯留する余剰液貯留手段と、
上記の液送出管２１の上記の冷房用補助ポンプ１５の下流側と、上記の熱交換流体部分との間に、上記の液側路管２４を接続することにより、上記の冷房用レシーバタンク１４に貯留された上記の熱操作液体、例えば、液体のＲ−１３４ａを上記の冷房用補助ポンプ１５によって上記の熱交換流体部分に入れ込む熱操作液体補充手段と、
上記のオーバーフロー管２４を接続した上記の熱交換流体部分の部位（以下、オーバーフロー部位という）、例えば、熱交換部１２の中間部分に相当する部位よりも低い上記の熱交換流体部分の部位に上記の液取入管２２と上記の液送出管２１とを接続し、上記のオーバーフロー部位よりも高い上記の熱交換流体部分の部位（以下、高部位という）に上記の液側路管２４を接続し、上記の高部位よりも高い上記の熱交換流体部分の部位に上記の気管２５を接続する各管接続手段と
を設けた上記の第１の構成を構成していることになるものである。
また、第２には、上記の第１の構成に加えて、
上記の液送出管２１に上記のオーバーフロー管２３を接続した部分よりも上流側の上記の液送出管２１の部分に第１の冷暖切替弁１３を設けるとともに、上記の液送出管２１に上記の液側路管２４を接続した部分よりも下流側の上記の液送出管２１の部分に第２の冷暖切替弁１６を設ける切替弁配置手段と、
上記の液送出管２１の最も低い部分と、上記の液取入管２２の最も低い部分との間に、暖房用レシーバタンク４１と、暖房用ポンプ４２と、上記の熱交換部１２の方向のみに上記の熱操作流体、例えば、Ｒ−１３４ａの流動を可能にする弁、例えば、逆止弁４３とを上記の液送出管２１の側から順次に直列に配置する暖房用部分配置手段と、
上記の気管２５の最も低い部分と、上記の暖房用レシーバタンク４１の上流側の上記の液送出管２１の部分との間に、開閉弁を設けた第２の液側路管２８を接続する液側路手段と
を設けた上記の第２の構成を構成していることになるものである。
そして、第３には、上記の第２の構成に加えて、
上記の第１の冷暖切替弁１３と上記の第２の冷暖切替弁１６とを閉弁するとともに上記の開閉弁２７を開弁した状態で、上記の暖房用ポンプ４２を起動し、上記の熱交換流体部分に回収される上記の熱操作液体が所定量になったことを検出したとき、例えば、所定のレベルを液面センサ１８が検出したときに、上記の熱交換部１２の加熱を開始する暖房運転手段
を設けた上記の第３の構成を構成していることになるものである。
【００３７】
【発明の効果】
以上説明したように本発明によれば、室外機で加熱して蒸発させるＲ−１３４ａなどの冷媒が不足するときには、冷房用レシーバタンクや気管の下部などに溜った液冷媒を室外機に戻すことができるので、見掛け上の冷媒不足による運転不能に陥ることがないのはもちろん、暖房運転の立ち上げ時間が短縮できるようになった。
【図面の簡単な説明】
【図１】本発明の一実施形態を示す説明図である。
【符号の説明】
１０  室外機
１１  吸収冷凍機
１２  熱交換部
１２ａ  伝熱管
１２ｂ  空間
１２ｃ  空間
１３  冷暖切替弁
１４  レシーバタンク
１５  冷房用補助ポンプ
１６  冷暖切替弁
１８・１９  液面センサ
２０  制御装置
２１  液送出管
２２  液取入管
２３  オーバーフロー管
２４  液側路管
２５  気管
２６  均圧管
２７  開閉弁
２８  液測路管
３０  室内機
３１  熱交換器
３２  膨張弁
３３  送風機
４０  暖房ポンプユニット
４１  レシーバタンク
４２  暖房用ポンプ
４３  逆止弁
４４  液面センサ
【図１】
0003772290.tif 000002